(57)【要約】【課題】  入浴者に高酸素濃度の空気を供給して、疲労回復、温熱効果、呼吸がしやすい快適な入浴ができるようにし、さらに簡単で且つ安価な構成で、高酸素濃度の空気が吐出する際に浴水が満水でも泡立った浴水が溢れつづけて見苦しくなったり、異音がするのを防止する。【解決手段】  酸素富化装置３からの高酸素濃度の空気を供給する供給経路４をジェットバス装置Ｂの空気取り込み口５に連通させる。空気取り込み口５を浴槽１の上端面部よりも上方に突出して配置する。ジェットバス装置Ｂ運転時に浴室６内の空気と高酸素濃度の空気とをジェットバス装置Ｂのエジェクター部２０に供給する。微細気泡発生装置Ａ運転時に高酸素濃度の空気の一部を微細気泡発生装置Ａのエジェクター部１０に供給すると共に高酸素濃度の空気の残りをジェットバス装置Ｂの空気取り込み口５を介して浴室６内に吐出する。【選択図】        図１
2005319001.tif 000002
【特許請求の範囲】
【請求項１】
浴槽内から吸い込んだ浴水に空気を溶解させると共に空気を溶解させた浴水を浴槽内に吐出することで微細気泡を発生させる微細気泡発生装置と、浴槽から吸い込んだ浴水に空気取り込み口から取り込んだ空気を巻き込むと共に巻き込んだ気泡入りの浴水を浴槽内に噴出するジェットバス装置とを備えた気泡発生浴槽において、高酸素濃度の空気を発生する酸素富化装置を設け、上記高酸素濃度の空気を供給する供給経路を２つに分岐し、一方の分岐経路を微細気泡発生装置のエジェクター部に接続すると共に、他方の分岐経路をジェットバス装置の空気取り込み口に連通させ且つこの空気取り込み口を浴槽の上端面部よりも上方に突出して配置し、ジェットバス装置の運転時に空気取り込み口の内側で空気取り込み口から取り込んだ通常空気と高酸素濃度の空気とを混合してジェットバス装置のエジェクター部に供給可能とし、微細気泡発生装置の運転時に酸素富化装置からの高酸素濃度の空気の一部を微細気泡発生装置のエジェクター部に供給すると共に高酸素濃度の空気の残りをジェットバス装置の空気取り込み口を介して浴室内に吐出可能としたことを特徴とする気泡発生浴槽。
【請求項２】
浴槽内から吸い込んだ浴水に空気を溶解させると共に空気を溶解させた浴水を浴槽内に吐出することで微細気泡を発生させる微細気泡発生装置と、浴槽から吸い込んだ浴水に空気取り込み口から取り込んだ空気を巻き込むと共に巻き込んだ気泡入りの浴水を浴槽内に噴出するジェットバス装置とを備えた気泡発生浴槽において、高酸素濃度の空気を発生する酸素富化装置を設け、上記高酸素濃度の空気を供給する供給経路を２つに分岐し、一方の分岐経路を微細気泡発生装置のエジェクター部に接続すると共に、他方の分岐経路を浴室内に開口した富化酸素供給口に接続し、この富化酸素供給口を浴槽の上端面部よりも上方に突出して配置し且つこの富化酸素供給口の近傍にジェットバス装置の空気取り込み口を配置し、ジェットバス装置の運転時に富化酸素供給口から吐出する高酸素濃度の空気を浴室内の通常空気と共に空気取り込み口に吸い込んでジェットバス装置のエジェクター部に供給可能とし、微細気泡発生装置の運転時に酸素富化装置からの高酸素濃度の空気の一部を微細気泡発生装置のエジェクター部に供給すると共に高酸素濃度の空気の残りを富化酸素供給口を介して浴室内に吐出可能としたことを特徴とする気泡発生浴槽。
【発明の詳細な説明】
【技術分野】
【０００１】
本発明は、ジェットバス装置と微細気泡発生装置とを備えた気泡発生浴槽に関するものである。
【背景技術】
【０００２】
近年、浴槽に微細気泡発生装置を単独で設け、浴槽内から吸い込んだ浴水に空気を溶解させると共に空気を溶解した浴水を浴槽内に吐出して浴槽内で微細気泡を発生させるようにした気泡発生浴槽が提供されている。（例えば、特許文献１参照）
また、浴槽にジェットバス装置を単独で設け、浴槽内から吸い込んだ浴水に空気を巻き込んだ気泡入りの浴水を浴槽内に噴出するようにしたジェットバス装置を備えた浴槽も従来から知られている。（例えば、特許文献２参照）
【特許文献１】特開２００２−３３０８８５号公報
【特許文献２】特開２００３−６１８４８号公報
【発明の開示】
【発明が解決しようとする課題】
【０００３】
ところが、いずれの従来例においても、大気中の空気を気泡として浴水中に噴出したり、あるいは、浴槽内で微細気泡として発生させたりして入浴するため、温熱効果が得られるが、単に大気中の空気（酸素濃度２１％）が気泡となって供給されるだけのため、さほどに快適度や心肺機能の負担軽減になるものではなかった。
【０００４】
本発明は上記の従来の問題点に鑑みて発明したものであって、浴槽内に入っている入浴者に対して高酸素濃度の空気を供給して、疲労回復、温熱効果、呼吸がしやすい快適な入浴ができるようにし、さらに簡単で且つ安価な構成で、高酸素濃度の空気が吐出する際に浴水が満水でも泡立った浴水が溢れつづけて見苦しくなったり、異音がするのを防止できるようにした気泡発生浴槽を提供することを課題とするものである。
【課題を解決するための手段】
【０００５】
前記課題を解決するために請求項１記載の発明は、浴槽１内から吸い込んだ浴水に空気を溶解させると共に空気を溶解させた浴水を浴槽１内に吐出することで微細気泡を発生させる微細気泡発生装置Ａと、浴槽１から吸い込んだ浴水に空気取り込み口５から取り込んだ空気を巻き込むと共に巻き込んだ気泡入りの浴水を浴槽１内に噴出するジェットバス装置Ｂとを備えた気泡発生浴槽において、高酸素濃度の空気を発生する酸素富化装置３を設け、上記高酸素濃度の空気を供給する供給経路４を２つに分岐し、一方の分岐経路４ａを微細気泡発生装置Ａのエジェクター部１０に接続すると共に、他方の分岐経路４ｂをジェットバス装置Ｂの空気取り込み口５に連通させ且つこの空気取り込み口５を浴槽１の上端面部よりも上方に突出して配置し、ジェットバス装置Ｂの運転時に空気取り込み口５の内側で浴室６内の通常空気と高酸素濃度の空気とを混合してジェットバス装置Ｂのエジェクター部２０に供給可能とし、微細気泡発生装置Ａの運転時に酸素富化装置３からの高酸素濃度の空気の一部を微細気泡発生装置Ａのエジェクター部１０に供給すると共に高酸素濃度の空気の残りをジェットバス装置Ｂの空気取り込み口５を介して浴室６内に吐出可能としたことを特徴としている。
【０００６】
このような構成とすることで、共通の浴槽１でジェットバス装置Ｂを運転して浴槽１内から吸い込んだ浴水に空気を巻き込んだ気泡入りの浴水を浴槽１内に噴出したり、あるいは、微細気泡発生装置Ａを運転して浴槽１内から吸い込んだ浴水に空気を巻き込んだ気泡入りの浴水を加圧し減圧して浴槽１内に微細気泡を発生させたりすることができるのはもちろんのこと、微細気泡発生装置Ａを運転して浴槽１内に微細気泡を発生させる際には、酸素富化装置３で発生させた高酸素濃度の空気（富化酸素）を微細気泡として発生させることができ、入浴中に浴水中に浸かった身体の部位が皮膚呼吸ができるようになって入浴の快適度を上げると共に入浴中における心肺機能の負担を軽減でき、更に、疲労回復ができるように浴水中に浸かりながら皮膚の活性化ができる。しかも、この場合、富化酸素供給口を兼用する空気取り込み口５から浴室６内に高濃度の酸素を供給できるので、浴室６内の空間の酸素濃度が高くなり、入浴中に浴水より上に出ている鼻や口から直接酸素濃度の高い空気を吸ったり、あるいは、洗い場で身体を洗っているときにも鼻や口から直接酸素濃度の高い空気を吸うことができて肺呼吸を楽にできて、快適に入浴や洗い操作ができる。一方、ジェットバス装置Ｂを運転して気泡を混入して浴槽１内に噴出する際に、酸素富化装置３で発生させた高酸素濃度の空気を浴室６内の通常空気と混ぜて気泡として浴槽１内に供給できるので、比較的大きい気泡が水面まで上昇して入浴者の顔の近くで酸素濃度の高い空気として空気中に放出されることになって、入浴中に鼻や口の近くに効果的に酸素濃度の高い空気を供給して肺呼吸が楽になるものである。しかも、このジェットバス装置Ｂの運転中は、微細気泡発生装置Ａは運転していないので、酸素濃度の高い空気のすべてが浴槽１の上端面部に設けた空気取り込み口５から取り入れる通常空気と混合して気泡として浴槽１内に供給されるものであり、さらに、ジェットバス装置Ｂの空気取り込み口５を酸素富化装置３の富化酸素供給口として共用できるので、浴槽１に富化酸素供給口を別途設ける必要がなく、浴槽１の配管を簡略化しながら、浴室６内に高酸素濃度の空気を供給することができ、そのうえ、空気取り込み口５を浴槽１の上端面部よりも上方に突出して配置したので、浴槽１内の浴水が満水となっても、微細気泡発生装置Ａの運転時にジェットバス装置Ｂの空気取り込み口５より高酸素濃度の空気が水と共に泡立つように溢れ出たり、異音を発生したりしないものである。
【０００７】
また請求項２記載の発明は、浴槽１内から吸い込んだ浴水に空気を溶解させると共に空気を溶解させた浴水を浴槽１内に吐出することで微細気泡を発生させる微細気泡発生装置Ａと、浴槽１から吸い込んだ浴水に空気取り込み口５から取り込んだ空気を巻き込むと共に巻き込んだ気泡入りの浴水を浴槽１内に噴出するジェットバス装置Ｂとを備えた気泡発生浴槽において、高酸素濃度の空気を発生する酸素富化装置３を設け、上記高酸素濃度の空気を供給する供給経路４を２つに分岐し、一方の分岐経路４ａを微細気泡発生装置Ａのエジェクター部１０に接続すると共に、他方の分岐経路４ｂを浴室６内に開口した富化酸素供給口２に接続し、この富化酸素供給口２を浴槽１の上端面部よりも上方に突出して配置し且つこの富化酸素供給口２の近傍にジェットバス装置Ｂの空気取り込み口５を配置し、ジェットバス装置Ｂの運転時に富化酸素供給口２から吐出する高酸素濃度の空気を浴室６内の通常空気と共に空気取り込み口５に吸い込んでジェットバス装置Ｂのエジェクター部２０に供給可能とし、微細気泡発生装置Ａの運転時に酸素富化装置３からの高酸素濃度の空気の一部を微細気泡発生装置Ａのエジェクター部１０に供給すると共に高酸素濃度の空気の残りを富化酸素供給口２を介して浴室６内に吐出可能としたことを特徴としている。
【０００８】
このような構成とすることで、請求項１の作用効果に加えて、ジェットバス装置Ｂの空気取り込み口５と酸素富化装置３の富化酸素供給口２とを別経路とし、且つ富化酸素供給口２を浴槽１の上端面部よりも上方に突出して配置したので、浴槽１内の浴水が満水となっても、微細気泡発生装置Ａの運転時に富化酸素供給口２より高酸素濃度の空気が水と共に泡立つように溢れ出たり、異音を発生したりしないものである。
【発明の効果】
【０００９】
本発明は、上記のように、酸素富化装置から高酸素濃度の空気を微細気泡発生装置に供給することにより、高酸素濃度の空気を溶解させて微細気泡を発生させ、入浴中に身体の浴水中に浸かった部位における皮膚呼吸を促進し、入浴の快適度を上げると共に心肺機能の負担を軽減でき、更に、疲労回復できると共に皮膚の活性化が図れ、しかも、微細気泡発生装置の運転時には空気取り込み口から浴室内に高酸素濃度の空気を供給されるので、浴室内の空間の酸素濃度が高くなり、入浴中に浴水より上に出ている鼻や口から直接酸素濃度の高い空気を吸ったり、あるいは、洗い場で身体を洗っているときにも鼻や口から直接酸素濃度の高い空気を吸うことができて肺呼吸を楽にできて、よりいっそう快適に入浴や洗い操作ができる。また、ジェットバス装置を運転して気泡を混入して浴槽内に噴出する際に、高酸素濃度の空気を空気取り込み口から取り込んだ空気と混ぜて気泡として浴槽内に供給でき、比較的大きい気泡が水面まで上昇して入浴者の顔の近くで効果的に酸素濃度の高い空気が放出され、入浴中に鼻や口の近くに酸素濃度の高い空気を供給して肺呼吸を楽にして快適に入浴できる。さらに、浴槽内の浴水が満水となっても、微細気泡発生装置の運転時にジェットバス装置の空気取り込み口より高酸素濃度の空気が水と共に泡立つように溢れ出たり、異音を発生したりせず、入浴者に不快感を生じさせることがないものである。
【発明を実施するための最良の形態】
【００１０】
以下、本発明を添付図面に示す実施形態に基いて説明する。
【００１１】
ユニットバスルームのような浴室６内の底部の防水床パンのような床には浴槽１が設置してあり、この浴槽１には、図５に示すように、浴槽１内から吸い込んだ浴水に空気を巻き込んだ気泡入りの浴水を加圧し減圧して浴槽１内に微細気泡を発生させる微細気泡発生装置Ａと、浴槽１内から吸い込んだ浴水に空気を巻き込んだ気泡入りの浴水を浴槽１内に噴出するジェットバス装置Ｂとが設けてある。
【００１２】
微細気泡発生装置Ａは、図７に示すように、吸入口７と、吐出口８と、循環管路９と、空気取り入れ部を構成するエジェクター部１０と、循環ポンプ１１と、溶解タンク１２とで主体が構成してある。吸入口７は浴槽１の下部又は底部に設けてあり、浴槽１内の浴水を吸入するようになっている。また、吐出口８は浴槽１の下部又は底部に設けてあり、浴槽１内に微細気泡を含んだ浴水を吐出するようになっている。この吸入口７と吐出口８とは浴槽１外に配管した循環管路９により連通させてあり、循環管路９の途中には循環ポンプ１１を配置してあり、循環ポンプ１１を駆動することにより浴水を吸入口７から吸入して吐出口８から吐出させるようになっている。また、循環管路９には吸入口７と循環ポンプ１１との間に位置するようにエジェクター部１０が設けてあり、循環ポンプ１１の駆動により浴水がエジェクター部１０を通るとき空気を吸入して浴水に空気を混入するようになっている。循環ポンプ１１と吐出口８との間で循環管路９には溶解タンク１２を配置してあり、エジェクター部１０で混入した空気を浴水に溶解させるようになっている。この溶解タンク１２内では蛇行した経路に浴水を通過させるなどして浴水に空気を溶解させるようになっており、吐出口８は空気が溶解した浴水を減圧して吐出させることで、溶解した空気が微細気泡となり、微細気泡を含んだ浴水を吐出させるようになっており、浴水が所謂ミルキー状になって入浴することができるようになっている。
【００１３】
ジェットバス装置Ｂは、図６に示すように、吸い込み口１３と、噴出口１４と、循環管路１５と、ジェットポンプ１７と、空気取り込み口５とで主体が構成してある。浴槽１の側壁又は底部に吸い込み口１３を設けてあり、この吸い込み口１３から浴槽１内の浴水を吸い込むようになっている。また、浴槽１の側壁又は底部に噴出口１４を設けてあり、この噴出口１４から比較的大きい気泡を含んだ浴水を浴槽１内に噴出するようになっている。吸い込み口１３と噴出口１４とは循環管路１５により連通させてあり、循環管路１５の途中にはジェットポンプ１７を配置してあり、ジェットポンプ１７を駆動することで吸い込み口１３から吸い込んだ浴水を噴出口１４から強く噴出するようになっている。浴槽１の上端面部であるフランジ１８には、フランジ１８よりも上方に突出するようにして空気取り込み口５が設けてあり、この空気取り込み口５と噴出口１４とをジェット配管経路１６により連通させてある。ここで、噴出口１４にはエジェクター部２０を設けてあり、噴出口１４から浴水を噴出することで空気取り込み口５から取り込んだ空気をエジェクター作用により浴水に巻き込み、比較的大きな気泡を含んだ浴水を浴槽１内に噴出するようになっている。
【００１４】
ここで、本発明においては上記微細気泡発生装置Ａ、ジェットバス装置Ｂ以外に、高酸素濃度の空気（富化酸素）を供給するための酸素富化装置３を設けてある。
【００１５】
酸素富化装置３は例えば浴室６の天井の上に設置してある。この酸素富化装置３は酸素富化膜と真空ポンプとで主体が構成してあり、真空ポンプで大気中の空気を取り入れて酸素富化膜に空気を通すことで酸素が富化された空気である高酸素濃度の空気（つまり富化酸素）を得ることができるようになっている。空気を酸素富化膜に通すとき、酸素と窒素とは減速するが、酸素は窒素の約２．５倍の速度で通過する。これにより通常の大気中の空気は窒素が７８％、酸素が２１％であったのが、酸素富化膜によって窒素が６９％、酸素が３０％の空気となり、高酸素濃度の空気が得られる。
【００１６】
上記酸素富化装置３には、発生した高酸素濃度の空気を供給するための供給経路４が設けてあり、この供給経路４は２つの分岐経路４ａ、４ｂに分岐している。一方の分岐経路４ａは微細気泡発生装置Ａのエジェクター部１０に連通させてあり、他方の分岐経路４ｂは、ジェットバス装置Ｂの空気取り込み口５に連通させてある。本発明では、この空気取り込み口５を富化酸素供給口として共用している。
【００１７】
さらに、本発明においては、図１に示すように、ジェットバス装置Ｂの空気取り込み口５を浴槽１のフランジ１８よりも上方に突出して配置してある。図１の例では、フランジ１８に穿孔した孔部に、キャップ３２の嵌合筒部３１を嵌め込んである。キャップ３２の上蓋３０の中央側には空気取り込み口５が穿設され、この空気取り込み口５が嵌合筒部３１を介してジェット配管経路１６と連通している。上蓋３０の外周端部３１ａはフランジ１８の上面に隙間なく当接している。さらに空気取り込み口５の下方には、酸素富化装置３の分岐経路４ｂの先端開口部４ｃが上方に向って開放されている。そして、微細気泡発生装置Ａの運転時には、高酸素濃度の空気を先端開口部４ｃから空気取り込み口５を介して浴室６内に吐出するようになっている。また本例では、酸素富化装置３の分岐経路４ｂの先端開口部４ｃの外径寸法は嵌合筒部３１の内径寸法よりも小さく設定され、これにより、空気取り込み口５から吸引される空気と高酸素濃度の空気との混合気流が分岐経路４ｂの外周面と嵌合筒部３１の内周面との隙間３３を通り、ジョイント部材４０に接続したジェット配管経路１６内に吸い込まれるようになっている。
【００１８】
上記ジェットバス装置Ｂ、微細気泡発生装置Ａ、酸素富化装置３は制御部からの制御信号により制御されるようになっており、ジェットバス装置Ｂの運転を操作する操作スイッチを操作することで、ジェットバス装置Ｂを運転し（この場合、微細気泡発生装置Ａは運転されない）、また、微細気泡発生装置Ａの運転を操作する操作スイッチを操作することで、微細気泡発生装置Ａを運転する（この場合、ジェットバス装置Ｂは運転されない）ようになっている。そして、ジェットバス装置Ｂと微細気泡発生装置Ａとを選択的に運転するようになっていると共に、微細気泡発生装置Ａを運転するとき、ジェットバス装置Ｂを運転するときのいずれの場合も、酸素富化装置３が同時に運転されるようにしている。
【００１９】
しかして、微細気泡発生装置Ａの運転時には酸素富化装置３が運転され、吸入口７から浴槽１内の浴水が吸い込まれ、この浴水がエジェクター部１０を通過することで、高酸素濃度の空気が分岐経路４ａから浴水に混入され、この高酸素濃度の空気が混入された浴水が溶解タンク１２に送られることで浴水に高酸素濃度の空気が溶解し、高酸素濃度の空気が溶解した浴水が吐出口８から減圧して吐出させられることにより、高酸素濃度の微細気泡を含んだ浴水がミルキー状となって吐出される。これにより入浴者の浴槽１の浴水内に浸かっている部位が高酸素濃度の微細気泡に包まれた状態となって温熱効果が得られ、また、高酸素濃度の空気の微細気泡で包まれるため入浴者の皮膚呼吸を促進でき、これにより、入浴者の快適度を上昇させると共に、心肺機能の負担を軽減でき、また、疲労回復（筋肉中の乳酸が酸素により分解される作用が促進される）されると共に皮膚の活性化がなされる。
【００２０】
ここで、酸素富化装置３から供給される高酸素濃度の空気の流量は微細気泡発生装置Ａで使用される流量よりも多く、余剰の高酸素濃度の空気は、図２の矢印Ｆで示すように、分岐経路４ｂを介してジェットバス装置Ｂの空気取り込み口５から浴槽１内に入って入浴している人の顔の近くに漂い、より効果的に肺呼吸を楽にすることができるようになり、さらに、次第に浴室６内に拡散して浴室６内の酸素濃度を高めるので、洗い場で体を洗っているときにも、高酸素濃度の空気が供給されることとなり、より楽に肺呼吸ができるようになる。さらに、富化酸素供給口を兼ねる空気取り込み口５は浴槽１のフランジ１８よりも上方に突出して配置しているので、浴槽１が満水となった場合でも、空気取り込み口５に浴水が進入することがなく、浴水と高酸素濃度の空気とが混ざることがない。従って、浴槽１のフランジ１８に設けた空気取り込み口５から空気が浴水と共に泡立つように溢れ出たり、異音を発生したりせず、入浴者に不快感を与えることなく、特に、空気取り込み口５から空気が浴水と共に泡立つように溢れ出ると、入浴者は故障したのではないかと不安になるが、このような不安を感じることなく快適に入浴ができるものである。
【００２１】
ちなみに、微細気泡発生装置Ａ運転時には、酸素富化装置３から２リットル／ｍｉｎの高酸素濃度の空気が供給され、０．５リットル／ｍｉｎの高酸素濃度が微細気泡発生装置Ａに供給され、またジェット配管経路１６内に負圧が生じないため、１．５リットル／ｍｉｎの高酸素濃度の空気が空気取り込み口５から浴室６内に供給される。なお、酸素富化装置３から供給される高酸素濃度の空気量として、２リットル／ｍｉｎは例示であり、例えば３リットル／ｍｉｎでもよい。
【００２２】
一方、ジェットバス装置Ｂが運転されると共に酸素富化装置３が運転されると、浴槽１内の浴水が吸い込み口１３から吸い込まれ、ジェットポンプ１７を介して噴出口１４から浴水が噴出されるが、噴出口１４から浴水が噴出されるとき空気取り込み口５から空気を取り込んで噴出口１４に設けたエジェクター部２０に供給する。このときジェット配管経路１６内に矢印Ｚに示す方向に負圧が発生しているため、酸素富化装置３で生成された高酸素濃度の空気が図１の矢印Ｅで示すように空気取り込み口５の内側で空気取り込み口５からの空気と混合されて噴出口１４に設けたエジェクター部２０に供給される。つまり、分岐経路４ｂからの高酸素濃度の空気はその出口（先端開口部４ｃ）にて矢印Ｋ方向にターンして通常空気と合流して、Ｚ方向への流れが生じ、ジェット駆動に必要な空気が浴水内に巻き込まれることで、噴出口１４から比較的大きな気泡を巻き込んだ浴水が噴出されて入浴者のマッサージができる。浴槽１内に噴出された高濃度酸素の気泡は、高酸素濃度の空気が入浴中の入浴者の顔面付近に漂い、肺呼吸を楽にして快適に入浴することができる。また、入浴者の顔面付近に漂った高酸素濃度の空気は次第に浴室６内に拡散して浴室６内の酸素濃度を高める。このため、洗い場で洗い操作をしている時も酸素濃度の高い空気中で洗い操作をすることになり、肺呼吸を楽にすることができる。
【００２３】
このジェットバス装置Ｂ運転中には、微細気泡発生装置Ａは運転していないのでジェットバス装置Ｂのエジェクター部２０側に酸素濃度の高い空気が供給される。ちなみに、酸素富化装置３から２リットル／ｍｉｎの高酸素濃度の空気が供給される場合、２リットル／ｍｉｎの高酸素濃度がすべてジェットバス装置Ｂに吸い込まれ、上記のように、高濃度酸素の気泡は、高酸素濃度の空気の気泡として浴槽１内に噴出されて入浴者の顔面付近に漂い、更に、次第に浴室６内に拡散して浴室６内の酸素濃度を高める。
【００２４】
さらに、ジェットバス装置Ｂの空気取り込み口５を酸素富化装置３の富化酸素供給口として共用したことによって、浴槽１に富化酸素供給口を別途設ける必要がなく、浴槽１の配管を簡略化でき且つ安価でありながら、浴室６内に高酸素濃度の空気を供給できる利点もある。つまり、空気取り込み口２は、ジェットバス運転時には高酸素濃度の空気と浴室６内の通常空気とをそれぞれ吸い込む機能を有し、微細気泡運転時には高酸素濃度の空気（富化酸素）を浴室６に供給する機能を有するものとなる。
【００２５】
図３、図４は本発明の他の実施形態であり、酸素富化装置３の他方の分岐経路４ｂを浴室６内に開口した富化酸素供給口２に接続し、富化酸素供給口２の近傍にジェットバス装置Ｂの空気取り込み口５を設けると共に、富化酸素供給口２を浴槽１のフランジ１８よりも上方に突出して配置している。本例では、浴槽１のフランジ１８に嵌め込まれるキャップ３２の上蓋３０の中央側に空気取り込み口５が穿設され、外周側に富化酸素供給口２が設けられている。富化酸素供給口２の下方空間２ａは嵌合筒部３１によって空気取り込み口５の下方空間と仕切られている。この富化酸素供給口２の下方空間２ａには、酸素富化装置３の分岐経路４ｂの先端開口部４ｃが上方に向って開放されている。他の構成は図１、図２の実施形態と同様である。
【００２６】
しかして、ジェットバス装置Ｂの運転時には、高酸素濃度の空気が富化酸素供給口２から一旦外部に吐出され、この吐出された高酸素濃度の空気がその近傍に位置する空気取り込み口５にエジェクター作用によって吸い込まれる。つまりジェット配管経路１６内に矢印Ｚで示す方向の負圧が発生しているため、富化酸素供給口２から吐出する高酸素濃度の空気は図３の矢印Ｊで示す方向にターンして、空気取り込み口５に吸い込まれ、通常空気と合流して、Ｚ方向への流れが生じるようになる。一方、微細気泡発生装置Ａの運転時には、ジェット配管経路１６内に負圧が生じないため、図４の矢印Ｈで示すように、富化酸素供給口２から吐出する高酸素濃度の空気は浴室６内にそのまま放散される。
【００２７】
ここで、空気取り込み口５と富化酸素供給口２の両方が浴槽１のフランジ１８よりも上方に突出しているので、微細気泡発生装置Ａの運転時において図１、図２の実施形態の作用効果と同様、浴槽１内の浴水が満水となっても、空気取り込み口５とは別系統の富化酸素供給口２には浴水が進入できないため、富化酸素供給口２より高酸素濃度の空気が水と共に泡立つように溢れ出たり、異音を発生したりしないものである。また本例ではジェットバス装置Ｂの空気取り込み口５と酸素富化装置３の富化酸素供給口２とを別経路としているため、浴槽１の満水時にジェット配管経路１６内に浸水しても、空気取り込み口５とは別系統の富化酸素供給口２に浸水することがない。従って、浴槽１のフランジ１８からの上方への空気取り込み口５の突出幅を少なくでき、結果、空気取り込み口５を備えるキャップ３２の上蓋３０の突出幅を少なくでき、浴槽１の外観を損なわないようにできる利点もある。
【図面の簡単な説明】
【００２８】
【図１】本発明の一実施形態を示し、ジェットバス装置運転時の高酸素濃度の空気の流れを説明する断面図である。
【図２】同上の微細気泡発生装置運転時の高酸素濃度の空気の流れを説明する断面図である。
【図３】他の実施形態を示し、ジェットバス装置運転時の高酸素濃度の空気の流れを説明する断面図である。
【図４】同上の微細気泡発生装置運転時の高酸素濃度の空気の流れを説明する断面図である。
【図５】同上の気泡発生浴槽の斜視図である。
【図６】同上のジェットバス装置の配管経路の説明図である。
【図７】同上の微細気泡発生装置の配管経路の説明図である。
【符号の説明】
【００２９】
Ａ  微細気泡発生装置
Ｂ  ジェットバス装置
１  浴槽
２  富化酸素供給口
３  酸素富化装置
４  供給経路
４ａ  一方の分岐経路
４ｂ  他方の分岐経路
５  空気取り込み口
６  浴室
１０、２０  エジェクター部
【図１】
2005319001.tif 000003
【図２】
2005319001.tif 000004
【図３】
2005319001.tif 000005
【図４】
2005319001.tif 000006
【図５】
2005319001.tif 000007
【図６】
2005319001.tif 000008
【図７】
2005319001.tif 000009